(57)【特許請求の範囲】
【請求項１】
表示窓をもつ上フレームと、液晶表示パネルと、その内部に導光板を収容する中間フレームと、下フレームとを少なくとも有し、これらをこの順で積層した液晶表示装置であって、
前記中間フレームには、前記導光板の各辺を前記液晶表示パネル側から被覆する枠状の遮光体が一体的に形成されていることを特徴とする液晶表示装置。
【請求項２】
前記中間フレームは、少なくとも一辺に光源を搭載することを特徴とする請求項１に記載の液晶表示装置。
【請求項３】
表示窓をもつ上フレームと、液晶表示パネルと、導光板を内枠に収容すると共に少なくとも一辺に線状のバックライト光源を搭載する枠状の中間フレームと、下フレームとを少なくとも有し、これらをこの順で積層した液晶表示装置において、
前記中間フレームの前記導光板を収容する内辺に前記導光板の各辺を前記液晶表示パネル側から被覆する遮光機能を有する枠状スペーサを一体的に形成してなることを特徴とする液晶表示装置。
【発明の詳細な説明】
【０００１】
【産業上の利用分野】
本発明は、液晶表示装置に係り、特に優れた時分割駆動特性を有し、さらに白黒および多色表示を可能にする電界効果型液晶表示装置に関する。
【０００２】
【従来の技術】
液晶表示装置の一形式として、ツイステッドネマチックタイプ（ＴＮ）と言われるものは、２枚の電極基板間に正の誘電率異方性を有するネマチック液晶による９０度ねじれた螺旋構造を有し、かつ両電極基板の外側には偏光板をその偏光軸（あるいは吸収軸）が電極基板に隣接する液晶分子に対し直交あるいは平行になるように配置するものであった（特公昭５１−１３６６６号公報）。
【０００３】
このような捩じれ角（α）が９０度の液晶表示素子では、液晶層に印加される電圧対液晶層の透過率の変化の急峻性（γ），視角特性の点で問題があり、時分割数（走査電極の数に相当）は６４が実用的限界であった。しかし、近年の液晶表示素子に対する画質改善と表示情報量増大要求に対処するため、液晶分子の捩じれ角αを１８０度より大にしたスーパーツイステッドネマチック（ＳＴＮ）が提案され、かつこのＳＴＮに複屈折効果を利用することにより時分割駆動特性を改善して時分割数を増大させることがアプライド  フィジクス  レター４５，Ｎｏ．１０，１０２１  １９８４（Ａｐｐｌｉｅｄ  Ｐｈｙｓｉｃｓ  Ｌｅｔｔｅｒ，Ｔ．Ｊ．Ｓｃｈｅｆｆｅｒ，Ｊ．Ｎｅｈｒｉｎｇ：”Ａ  ｎｅｗ，ｈｉｇｈｌｙ  ｍｕｌｔｉｐｌｅｘａｂｌｅ  ｌｉｑｕｉｄｃｒｙｓｔａｌ  ｄｉｓｐｌａｙ”）  に論じられ、スーパーツイステッド複屈折効果型（ＳＢＥ）液晶表示装置が提案されている。
【０００４】
この種の液晶表示装置は、表示窓をもつ上フレームと、駆動回路基板を一体化した液晶板とからなる液晶表示パネルと、光拡散板と導光板からなる導光体組立と、この導光体組立を収容して少なくとも一辺に線状のバクライト光源を搭載する中間フレームと、下フレームとを少なくとも有し、これらを上記の順で積層し、上記上フレームと下フレームとを連結固定してなる。
【０００５】
図１２は従来の液晶表示装置の構成を説明する分解斜視図であって、１は上フレーム、３は液晶表示窓、６２は液晶表示パネル、３５は駆動回路基板、１３は枠状のスペーサ、３７は光拡散板と導光板からなる導光体組立、４２は線状のバクライト光源を搭載する中間フレーム、３６は冷陰極管からなるバックライト光源（ランプ）、１７はランプカバー、２は下フレームである。
【０００６】
なお、１８は駆動回路基板３５に形成されたグランドパット２４に半田付けされる切り起こし片、２０は下フレーム２に形成した爪受け２５に固定する爪、１４は上フレーム１と液晶表示パネル６２を固定する粘着テープである。
同図において、液晶表示装置は図示の順序で上フレーム１と下フレーム２とで挟持固定される。中間フレーム４２の一端側には冷陰極管からなる線状光源（バックライト光源）３６が設置され、ランプカバー１７で液晶表示パネル６２方向への直接光を遮断し、その発光光を光拡散板と導光板からなる導光体組立３７側に指向させる。
【０００７】
枠状のスペーサ１３は中間フレーム４２に形成された凹部に設置される導光体組立３７と液晶表示パネル６２との間に介在して表示領域を確定すると共に、導光体組立３７からの光漏れや異物の侵入を防止する。
なお、上記のような枠状のスペーサ１３に代えてスポンジ状のシリコンゴム片を各辺に使用したものも知られている。
【０００８】
図１３は従来の液晶表示装置に用いられている中間フレーム部分の説明図であって、（ａ）は枠状のスペーサ１３を所定位置に載置した状態を示す斜視図、（ｂ）は（ａ）のＡ−Ａ’，Ｂ−Ｂ’，Ｃ−Ｃ’の部分断面図、（ｃ）は（ａ）のＤ−Ｄ’の部分断面図である。
同図において、（ａ）に示したように枠状のスペーサ１３は中間フレーム４２の枠内部に収容された導光体組立３７の辺を上部（液晶表示パネル側）から被覆するように載置される。
【０００９】
なお、導光体組立３７の一辺はバックライト光源３６に近接する位置まで存在して、当該バックライト光源３６からの光を受けるようになされる。
すなわち、（ｂ）（ｃ）の断面図からも分かるように、導光体組立３７の各辺は枠状のスペーサ１３により上方から被覆されて光漏れや異物の侵入が防止される。
【００１０】
【発明が解決しようとする課題】
上記従来の液晶表示装置においては、導光体組立の各辺を被覆する枠条のスペーサ１３はポリエチレンテレフタレート（ＰＥＴ）等の樹脂シートからプレス抜きで製作されるものであるため、所謂材料とり効率が悪く、また中間フレームとの位置合わせ作業が難しく、精度よく組み立てることが困難であるという問題があった。
【００１１】
また、枠状のスペーサに代えてスポンジ状のシリコンゴム片を各辺に使用したものは上記の枠状のスペーサよりもさらに中間フレームとの位置合わせ作業が難しいという問題があった。
本発明の目的は上記従来技術の諸問題を解消し、組立精度を向上させ、かつ光漏れや異物の侵入を効果的に防止できるようにした液晶表示装置を提供することにある。
【００１２】
【課題を解決するための手段】
上記目的を達成するために、本発明は、図１に示したように、表示窓３をもつ上フレーム１と、駆動回路基板３５を一体化した液晶板とからなる液晶表示パネル６２と、光拡散板と導光板からなる導光体組立３７と、この導光体組立３７を収容して少なくとも一辺に線状のバックライト光源３６を搭載する枠状の中間フレーム４２、および下フレーム２とをこの順で積層し、上記上フレーム１と下フレーム２とを連結固定してなる液晶表示装置において、
図２に示したように、前記中間フレーム４２の前記導光体組立３７を収容する内辺に前記導光体組立の各辺を前記液晶表示パネル側から被覆する各辺１３−１，１３−２，１３−３，１３−４からなる枠状スペーサを一体的に成形してなることを特徴とする。
【００１３】
【作用】
中間フレーム４２の前記導光体組立３７を収容する内辺に前記導光体組立の各辺を前記液晶表示パネル側から被覆する各辺スペーサ１３−１，１３−２，１３−３，１３−４からなる枠状スペーサを一体的に成形したことにより、従来のような別部品のスペーサを用意する必要がなく、また導光体組立との位置決め作業が不要となり、光漏れや異物の侵入のない高精度の液晶表示装置を提供できる。
【００１４】
【実施例】
以下、本発明の実施例につき、図面を参照して詳細に説明する。
図１は本発明による液晶表示装置の構成を説明する展開斜視図であって、１は上フレーム、３は液晶表示窓、６２は液晶表示パネル、３５は駆動回路基板、１３−１，１３−２，１３−３，１３−４は中間フレームに一体的に形成された枠状スペーサを構成する各辺スペーサ、３７は光拡散板と導光板からなる導光体組立、４２は線状のバックライト光源３６を搭載する中間フレーム，３６は冷陰極管からなるバックライト光源（ランプ）、１７はランプカバー、２は下フレームである。
【００１５】
なお、１８は駆動回路基板３５に形成されたグランドパット２４に半田付けされる切り起こし片、２０は下フレームに形成した爪受け２５に固定する爪、１４は上フレーム１と液晶表示パネルを固定する粘着テープである。
同図において、液晶表示装置は図示に順序で上フレーム１と下フレーム２とで挟持固定される。中間フレーム４２の一端側には冷陰極管からなる線状光源（バックライト光源）３６が設置され、ランプカバー１７で液晶表示パネル６２方向への直接光を遮断し、その発光光を光拡散板と導光板からなる導光体組立３７側に指向させる。
【００１６】
導光体組立３７は中間フレーム４２に一体的に形成した枠状スペーサを構成する各辺１３−１，１３−２，１３−３，１３−４で各辺を被覆され、バックライト光源３６からの光漏れ、異物の混入が防止される。
図２は本発明による液晶表示装置の１実施例を構成する中間フレームの構造を説明する（ａ）は斜視図、（ｂ）は（ａ）のＡ−Ａ’，Ｂ−Ｂ’，Ｃ−Ｃ’断面図、（ｃ）は（ａ）のＤ−Ｄ’断面図であって、図１と同一符号は同一部分に対応する。
【００１７】
同図に示したように、中間フレーム４２は導光体組立３７を収容すると共に、この導光体組立の各辺を液晶表示パネル側から被覆する枠状のスペーサを構成する各辺スペーサ１３−１，１３−２，１３−３，１３−４を一体的に形成してあり、導光体組立を中間フレーム４２の下方向から収納することで、その各辺が各辺スペーサ１３−１，１３−２，１３−３，１３−４で被覆され、一辺はバックライト光源３６方向に露呈してこのバックライト光源３６からの光を受けるように配置される。
【００１８】
すなわち、枠状のスペーサを構成する各辺１３−１，１３−２，１３−３，１３−４は中間フレーム４２に一体形成されているため、これらのスペーサは液晶表示パネルの周辺に光漏れを生じることがなく、また導光体組立と液晶表示パネルの間に異物が侵入することがない。
そして、この枠状のスペーサを構成する各辺スペーサ１３−１，１３−２，１３−３，１３−４は中間フレーム４２と一体形成で製作されるものであるため、部品点数が削減され、低コスト化と作業効率の向上を計ることができるものである。
【００１９】
以下、上記構成をスーパーツイステッドネマチック（ＳＴＮ）方式の液晶表示装置に適用した具体例を説明する。なお、以降の図面で、同一機能を有するものは同一符号を付け、その繰り返しの説明は省略する。
「具体例１」
図３は本発明による液晶表示装置６２を上側からみた場合の液晶分子の配列方向（例えばラビング方向）、液晶分子のねじれ方向、偏光板の偏光軸（あるいは吸収軸）方向、および複屈折効果をもたらす部材の光学軸方向を示し、図４は本発明による液晶表示装置６２の要部斜視図を示す。
【００２０】
液晶分子のねじれ方向１０とねじれ角θは、上電極基板１１上の配向膜２１のラビング方向６と下電極基板１２上の配向膜２２のラビング方向７及び上電極基板１１と下電極基板１２の間に挟持されるネマチック液晶層５０に添加される旋光物質の種類とその量によって規定される。
図４において、液晶層５０を挟持する２枚の上，下電極基板１１，１２間で液晶分子がねじれた螺旋構造をなすように配向させるには、上，下電極基板１１，１２上の、液晶に接する、例えばポリイミドからなる有機高分子樹脂からなる配向膜２１，２２の表面を、例えば布などで一方向にこする方法、所謂ラビング法が採られている。このときのこする方向、すなわちラビング方向、上電極基板１１においてはラビング方向６，下電極基板１２においてはラビング方向７が液晶分子の配列方向となる。
【００２１】
このようにして配向処理された２枚の上，下電極基板１１，１２をそれぞれのラビング方向６，７が互いにほぼ１８０度から３６０度で交叉するように間隙ｄ１  をもたせて対向させ、２枚の電極基板１１，１２を液晶を注入するための切り欠け部５１を備えた枠状のシール材５２により接着し、その間隙に正の誘電異方性をもち旋光物質を所定量添加したネマチック液晶を封入すると、液晶分子はその電極基板間で図中のねじれ角θの螺旋状構造の分子配列をする。なお、３１，３２はそれぞれ上，下電極である。
【００２２】
このようにして構成された液晶セル６０の上電極基板１１の上側に複屈折効果をもたらす部材（以下、複屈折部材と称する）４０が配設されており、さらにこの部材４０および液晶セル６０を挟んで上，下偏光板１５，１６が設けられる。
液晶５０における液晶分子のねじれ角θは好ましくは２００度から３００度であるが、透過率−印加電圧カーブの閾値近傍の点灯状態が光を散乱する配向となる現象を避け、優れた時分割特性を維持するという実用的な観点からすれば、２３０度から２７０度の範囲がより好ましい。
【００２３】
この条件は、基本的には電圧に対する液晶分子の応答をより敏感にし、優れた時分割特性を実現するように作用する。また、優れた表示品質を得るためには、液晶層５０の屈折率異方性Δｎ１  とその厚さｄ１  との積Δｎ１  ・ｄ１  は好ましくは０．５μｍから１．０μｍ、より好ましくは０．６μｍから０．９μｍの範囲に設定するのが望ましい。
【００２４】
複屈折部材４０は液晶セル６０を透過する光の偏光状態を変調するように作用し、液晶セル６０単体で着色した表示しかできなかったものを白黒の表示に変換するものである。このためには、複屈折部材４０の屈折率異方性Δｎ２  とその厚さｄ２  の積Δｎ２  ・ｄ２  が極めて重要であり、好ましくは０．４μｍから０．８μｍ、より好ましくは０．５μｍから０．７μｍの範囲に設定する。
【００２５】
さらに、本発明になる液晶表示装置６２は複屈折による楕円偏光を利用しているので偏光板１５，１６の軸と、複屈折部材４０として一軸性の透明複屈折板を用いる場合はその光学軸と、液晶セル６０の電極基板１１，１２の液晶配列方向６，７との関係が極めて重要である。
ここで、図３により上記の関係の作用効果について説明する。同図は図４の構成の液晶表示装置を上から見た場合の偏光板の軸，一軸性の透明複屈折部材の光学軸，液晶セルの電極基板の液晶配列方向の関係を示したものである。
【００２６】
図３において、５は一軸性の透明複屈折部材４０の光学軸、６は複屈折部材４０とこれに隣接する上電極基板１１の液晶配列方向、７は下電極基板１２の液晶配列方向、８は上偏光板１５の吸収軸あるいは偏光軸であり、角度αは上電極基板１１の液晶配列方向６と一軸性の複屈折部材４０の光学軸５とのなす角度、角度βは上偏光板１５の吸収軸あるいは偏光軸８と一軸性の透明複屈折部材４０の光学軸５とのなす角度、角度γは下偏光板１６の吸収軸あるいは偏光軸９と下電極基板１２の液晶配列方向７とのなす角度である。
【００２７】
ここで、上記角度α，β，γの測り方を定義する。図８において、複屈折部材４０の光学軸５と上電極基板１１の液晶配列方向６との交角を例として説明する。
光学軸５と液晶配列方向６との交角は図８に示したごとくφ１  およびφ２  で表すことができるが、ここではφ１  ，φ２  のうち小さい方の角度を採用する。すなわち、図８の（ａ）においてはφ１  ＜φ２  であるから、φ１  を光学軸５と液晶配列方向６との交角とし、図８の（ｂ）においてはφ１  ＞φ２  であるから、φ２  を光学軸５と液晶配列方向６との交角とする。勿論φ１  ＝φ２  の場合はどちらを採ってもよい。
【００２８】
この種の液晶表示装置においては、角度α，β，γが極めて重要である。角度αは好ましくは５０度から９０度、より好ましくは７０度から９０度に、角度βは好ましくは２０度から７０度、より好ましくは３０度から６０度に、角度γは好ましくは０度から７０度、より好ましくは０度から５０度に、それぞれ設定することが望ましい。
【００２９】
なお、液晶セル６０の液晶層５０  のねじれ角θが１８０度から３６０度の範囲内にあれば、ねじれ方向１０が時計回り方向，反時計回り方向のいずれであっても上記角度α，β，γは上記範囲内にあればよい。
図４においては、複屈折部材４０が上偏光板１５と上電極基板１１の間に配設されているが、これに代えて下電極基板１２と下偏光板１６との間に配設してもよい。この場合は図４の構成全体を倒立させたものとなる。
「具体例２」
基本構造は図３および図４に示したものと同様である。図５において、液晶分子のねじれ角θは２４０度であり、一軸性の透明複屈折部材４０としては平行配向（ホモジェニアス配向）した、すなわちねじれ角が０度の液晶セルを使用した。
【００３０】
ここで、液晶層の厚みｄ（μｍ）と旋光性物質が添加された液晶材料のらせんピッチｐ（μｍ）の比ｄ／ｐは約０．５３とした。配向膜２１，２２はポリイミド樹脂膜で形成し、これをラビング処理したものを使用した。このラビング処理を施した配向膜がこれに接する液晶分子を基板面に対して傾斜配向させるチルト角（ｐｒｅｔｉｌｔ角）は約４度である。上記一軸性透明複屈折部材４０のΔｎ２  ・ｄ２  は約０．６μｍである。一方、液晶分子が２４０度ねじれた構造の液晶層５０のΔｎ１  ・ｄ１  は約０．８μｍである。
【００３１】
このとき、角度αを約９０度、角度βを約３０度、角度γを約３０度とすることにより、上，下電極３１，３２を介して液晶層５０に印加される電圧が閾値以下のときには光不透過すなわち黒、電圧がある閾値以上になると光透過すなわち白の白黒表示が実現できた。また、下偏光板１６の軸を上記位置より５０度から９０度回転した場合は、液晶層５０への印加電圧が閾値以下のときは白、電圧が閾値以上になると黒の、前記と逆の白黒表示が実現できた。
【００３２】
図６は図５の構成で角度αを変化指せたときの１／２００デューティで時分割駆動時のコントラスト変化を示したものである。角度αが９０度近傍では極めて高いコントラストを示していたものが、この角度からずれるにつれて低下する。しかも、角度αが小さくなると点灯部，非点灯部ともに青味がかり、角度αが大きくなると非点灯部は紫，点灯部は黄色になり、いずれにしても白黒表示は不可能となる。角度βおよび角度γについてもほぼ同様の結果となるが、角度γの場合は前記したように５０度から９０度近く回転すると逆の白黒表示となる。
「具体例３」
基本構造は前記「具体例２」と同様である。ただし、液晶層５０の液晶分子のねじれ角は２６０度，Δｎ１  ・ｄ１  は約０．６５μｍ〜０．７５μｍである点が異なる。一軸性透明複屈折部材４０として使用している平行配向液晶層のΔｎ２  ・ｄ２  は「具体例２」と同じ約０．５８μｍである。
【００３３】
このとき、角度αを約１００度，角度βを約３５度，角度γを約１５度とすることにより、前記「具体例１」と同様の白黒表示が実現できた。また、下偏光板の軸の位置を上記値より５０度から９０度回転することにより逆転の白黒表示が可能である点も「具体例２」と同様である。角度α，β，γのずれに対する傾斜も「具体例２」とほぼ同様である。
【００３４】
上記いずれの具体例においても、一軸性透明複屈折部材４０として、液晶分子のねじれのない平行配向液晶セルを用いたが、むしろ２０度ないし６０度程度液晶分子がねじれた液晶層を用いた方が角度による色変化が少ない。このねじれた液晶層は、前記の液晶層５０と同様、配向処理がなされた一対の透明基板の配向処理方向を所定のねじれ角に交差するようにした基板間に液晶を挟持することによって形成される。この場合、液晶分子のねじれ構造を挟む２つの配向処理方向の挟角の２等分角の方向を複屈折部材の光軸として取り扱えばよい。
【００３５】
また、複屈折部材４０として透明な高分子フィルムを用いてもよい（この際、一軸延伸のものが好ましい）。この場合、高分子フィルムとしては、ＰＥＴ（ポリエチレンテレフタレート），アクリル樹脂，ポリカーボネートが有効である。さらに、以上の具体例においては、複屈折部材は単一であったが、図４において、複屈折部材４０に加えて、下電極基板１２と下偏光板１６との間にもう一枚の複屈折部材を挿入することもできる。この場合は、これらの複屈折部材のΔｎ２  ・ｄ２  を再調整すればよい。
「具体例４」
基本構造は「具体例２」と同様である。ただし、図９に示すごとく、上電極基板１１上に赤，緑，青のカラーフィルタ３３Ｒ，２２Ｇ，３３Ｂ、各フィルタ同志の間に光遮光膜３３Ｄを設けることにより多色表示が可能になる。図７に「具体例４」における液晶分子の配列方向，液晶分子のねじれ方向，偏光板の軸に方向および複屈折部材の光学軸の関係を示す。
【００３６】
なお、図９においては、各カラーフィルタ３３Ｒ，２２Ｇ，３３Ｂ、光遮光膜３３Ｄの上に、これらの凹凸の影響を軽減させるための絶縁物からなる平滑層２３が形成された上に上電極３１、配向膜２１が形成されている。
図１０は図１に示した本発明による液晶表示モジュール６３をラップトップパソコンの表示部に使用したブロックダイヤグラムを、図１１にラップトップパソコン６４に実装した状態を示す。
【００３７】
図１０において、マイクロプロセッサ４９で計算した結果をコントロール用ＬＳＩ４８を介して駆動用ＩＣ３４で液晶表示モジュールを駆動するものである。上記のように構成された本実施例によれば、バックライト光源の発熱による表示むらのない、かつバックライトの漏れ電流をなくして輝度を向上させた液晶表示装置を提供することができる。
【００３８】
なお、本発明の前記請求項に記載した発明は、上記したＳＴＮ方式の液晶表示装置に限るものではなく、バックライトを搭載した他の方式の液晶表示装置にも同様に適用できるものである。
【００３９】
【発明の効果】
以上説明したように、本発明によれば、液晶表示装置を上フレームと共に一体保持する下フレームをアルミニウム薄板で構成することで液晶表示装置の重量を低減しバックライト光源の放熱効果を向上させ、さらにバックライト光源と直交する方向に少なくとも液晶表示パネルの領域にわたって上記バックライト光源の中央部に直交する線に対称な位置に設けた切り抜き部が液晶表示パネルの全面に均一な温度分布を形成し、表示にむらが発生するのを防止することができる。
【００４０】
そして、バックライト光源の直下に当該バックライトの長手方向に設けた少なくとも２つの切り抜き部と、前記バックライト光源の両端部の下方部分に設けた切欠きとによりバックライトの漏れ電流を低減させて輝度低下を抑制することが可能となり、高品質の画像表示を得ることのできる各種液晶表示装置を提供することができる。
【図面の簡単な説明】
【図１】本発明による液晶表示装置の１実施例の構成を説明する展開斜視図である。
【図２】本発明による液晶表示装置の１実施例を構成する中間フレームの構造を説明する（ａ）は斜視図、（ｂ）は（ａ）のＡ−Ａ’，Ｂ−Ｂ’，Ｃ−Ｃ’断面図、（ｃ）は（ａ）のＤ−Ｄ’断面図である。
【図３】本発明による液晶表示装置の具体例１における液晶分子の配列方向、液晶分子のねじれ方向、偏光板の軸の方向および複屈折部材の光学軸の関係の説明図である。
【図４】本発明による液晶表示装置の構成材の積層関係を説明する要部斜視図である。
【図５】本発明による液晶表示装置の具体例２における液晶分子の配列方向、液晶分子のねじれ方向、偏光板の軸の方向および複屈折部材の光学軸の関係の説明図である。
【図６】本発明による液晶表示装置の具体例１におけるコントラスト、透過光色−交角α特性の説明図である。
【図７】本発明による液晶表示装置の具体例３における液晶分子の配列方向、液晶分子のねじれ方向、偏光板の軸の方向および複屈折部材の光学軸の関係の説明図である。
【図８】本発明による液晶表示装置における交角α，β，γの測り方の説明図である。
【図９】本発明による液晶表示装置における上電極基板部の構成を説明する一部切欠き斜視図である。
【図１０】本発明による液晶表示装置をラップトップパソコンの表示部に使用した場合のブロック図である。
【図１１】本発明による液晶表示装置をラップトップパソコンの表示部に使用した場合の外観図である。
【図１２】従来の液晶表示装置の構成を説明する分解斜視図である。
【図１３】従来の液晶表示装置に用いられている中間フレーム部分の説明図であって、（ａ）は枠状のスペーサを所定位置に載置した状態を示す斜視図、（ｂ）は（ａ）のＡ−Ａ’，Ｂ−Ｂ’，Ｃ−Ｃ’の部分断面図、（ｃ）は（ａ）のＤ−Ｄ’の部分断面図である。
【符号の説明】
１  上フレーム
２  下フレーム
３  液晶表示窓
１３−１，１３−２，１３−３，１３−４  スペーサ
１４  上フレームと液晶表示パネルを固定する粘着テープ
１７  ランプカバー
１８  駆動回路基板に形成されたグランドパットに半田付けされる切り起こし片
２０  下フレームに形成した爪受けに固定する爪
２４  グランドパッド
２５  爪受け
３５  駆動回路基板
３６  冷陰極管からなるバックライト光源（ランプ）
３７  光拡散板と導光板からなる導光体組立
４２  線状のバックライトを搭載する中間フレーム
６２  液晶表示パネル。
【図１】
0003560164.tif 000002
【図２】
0003560164.tif 000003
【図３】
0003560164.tif 000004
【図４】
0003560164.tif 000005
【図５】
0003560164.tif 000006
【図６】
0003560164.tif 000007
【図７】
0003560164.tif 000008
【図８】
0003560164.tif 000009
【図９】
0003560164.tif 000010
【図１０】
0003560164.tif 000011
【図１１】
0003560164.tif 000012
【図１２】
0003560164.tif 000013
【図１３】
0003560164.tif 000014